(57)【要約】【課題】配管に対するフェルールの局所的な食い込み量不足の発生を抑制することができる管継手及び空気調和システムを提供する。【解決手段】管継手は、継手本体１０２０とフロントフェルール１０２２とを備える。継手本体１０２０は、管状の挿入受入部１０２０ｂを有し、当該挿入受入部１０２０ｂが備える孔部１０２０ｅに配管の挿入を受け入れる。フロントフェルール１０２２は、配管の外周に対して遊嵌される。そして、フロントフェルール１０２２の先端部１０２２ａの少なくとも一部は、継手本体１０２０の孔部１０２０ｅに挿入され、挿入部分の少なくとも一部が継手本体１０２０における孔部１０２０ｅの周囲の内壁面１０２０ｆに押し付けられ変形することで、配管に食い込む。内壁面１０２０ｆの緩斜面部１０２０ｆ２は、配管の軸芯を基準とするフロントフェルール１０２２の偏芯を抑制する偏芯抑制部Ａ２である。【選択図】図３
2018062945.tif 000002
【特許請求の範囲】
【請求項１】
管状の挿入受入部（１０２０ｂ）を有し、当該挿入受入部（１０２０ｂ）が備える孔部（１０２０ｅ）に配管（１００）の挿入を受け入れる継手本体（１０２０）と、
前記配管（１００）の外周に対して遊嵌され、前記配管（１００）の挿入方向において前記挿入受入部（１０２０ｂ）と対向する先端部（１０２２ａ，２０２２ａ，４０２２ａ）を有し、前記先端部（１０２２ａ，２０２２ａ，４０２２ａ）の少なくとも一部が前記孔部（１０２０ｅ）に対して挿入され、当該先端部（１０２２ａ，２０２２ａ，４０２２ａ）の挿入部分が前記継手本体（１０２０）における前記孔部（１０２０ｅ）の周囲の内壁面（１０２０ｆ）に対して押し付けられ、前記挿入部分の少なくとも一部が変形することで、前記配管（１００）に食い込むフェルール（１０２２，２０２２，４０２２）と、
を備え、
前記継手本体（１０２０）における前記内壁面（１０２０ｆ）は、前記配管（１００）の挿入方向における前記孔部（１０２０ｅ）の孔口から孔奥に向けて当該孔部（１０２０ｅ）の孔径が漸減するテーパー状であり、
前記フェルール（１０２２，２０２２，４０２２）の前記先端部（１０２２ａ，２０２２ａ，４０２２ａ）は、前記配管（１００）の挿入方向における上流側から下流側に向けて外径が漸減するテーパー状であり、当該フェルール（１０２２，２０２２，４０２２）の前記先端部（１０２２ａ，２０２２ａ，４０２２ａ）におけるテーパー角がθ４であり、
前記内壁面（１０２０ｆ）は、前記孔部（１０２０ｅ）の孔口から孔奥に向けて、前記挿入受入部（１０２０ｂ）の軸芯を基準とするテーパー角がθ１である第１急斜面部（１０２０ｆ１）と、前記挿入受入部（１０２０ｂ）の軸芯を基準とするテーパー角がθ２である緩斜面部（１０２０ｆ２）と、前記挿入受入部（１０２０ｂ）の軸芯を基準とするテーパー角がθ３である第２急斜面部（１０２０ｆ３）と、を順に有し、
０≦（θ２−θ４）＜（θ３−θ４）の関係と、０≦（θ２−θ４）＜（θ１−θ４）の関係と、を満たし、
前記緩斜面部（１０２０ｆ２）における前記孔口側での内径がＤ１、前記孔奥側での内径がＤ２であり、
前記フェルール（１０２２，２０２２，４０２２）の先端の外径がＤ４であり、
Ｄ２≦Ｄ４＜Ｄ１の関係を満たし、
前記内壁面（１０２０ｆ）における前記緩斜面部（１０２０ｆ２）は、前記配管（１００）の軸芯を基準とする前記フェルール（１０２２，２０２２，４０２２）の偏芯を抑制する偏芯抑制部（Ａ２）である、
食込み式の管継手（１０２，２０２，４０２）。
【請求項２】
前記挿入受入部（１０２０ｂ）の前記軸芯を面内に含む縦断面において、前記第１急斜面部（１０２０ｆ１）の斜辺の長さがＬ１であり、前記緩斜面部（１０２０ｆ２）の斜辺の長さがＬ２であり、前記第２急斜面部（１０２０ｆ３）の斜辺の長さがＬ３であり、
Ｌ２＜Ｌ１の関係と、Ｌ２＜Ｌ３の関係と、を満たす、
請求項１記載の管継手（１０２，２０２，４０２）。
【請求項３】
前記配管（１００）の外周に対して遊嵌され、前記配管（１００）の挿入方向において、前記継手本体（１０２０）の前記挿入受入部（１０２０ｂ）に対して前記フェルール（２０２２）を挟んだ反対側に配される第２フェルール（１０２３）を、さらに備え、
前記フェルール（２０２２）は、前記配管（１００）の挿入方向において前記第２フェルール（１０２３）と対向する後端部に、管状の第２挿入受入部（２０２２ｂ）を有し、当該第２挿入受入部（２０２２ｂ）に第２孔部（２０２２ｇ）を備え、
前記第２フェルール（１０２３）は、前記配管（１００）の挿入方向において前記第２挿入受入部（２０２２ｂ）と対向する第２先端部（１０２３ａ）を有し、前記第２先端部（１０２３ａ）の少なくとも一部が前記第２孔部（２０２２ｇ）に対して挿入され、当該第２先端部（１０２３ａ）の挿入部分が前記フェルール（２０２２）における前記第２孔部（２０２２ｇ）の周囲の第２内壁面（２０２２ｄ）に対して押し付けられ、前記第２先端部（１０２３ａ）における挿入部分の少なくとも一部が変形することで、前記配管（１００）に食い込み、
前記フェルール（２０２２）における前記第２内壁面（２０２２ｄ）は、前記配管（１００）の挿入方向における前記第２孔部（２０２２ｇ）の孔口から孔奥に向けて当該第２孔部（２０２２ｇ）の孔径が漸減するテーパー状であり、
前記第２フェルール（１０２３）の前記第２先端部（１０２３ａ）は、前記配管（１００）の挿入方向における上流側から下流側に向けて外径が漸減するテーパー状であり、当該第２フェルール（１０２３）の前記第２先端部（１０２３ａ）におけるテーパー角がθ８であり、
前記第２内壁面（２０２２ｄ）は、前記第２孔部（２０２２ｇ）の孔口から孔奥に向けて、前記第２挿入受入部（２０２２ｂ）の軸芯を基準とするテーパー角がθ５である第３急斜面部（２０２２ｄ１）と、前記第２挿入受入部（２０２２ｂ）の軸芯を基準とするテーパー角がθ６である第２緩斜面部（２０２２ｄ２）と、前記第２挿入受入部（２０２２ｂ）の軸芯を基準とするテーパー角がθ７である第４急斜面部（２０２２ｄ３）と、を順に有し、
０≦（θ６−θ８）＜（θ７−θ８）の関係と、０≦（θ６−θ８）＜（θ５−θ８）の関係と、を満たし、
前記第２緩斜面部（２０２２ｄ２）における前記孔口側での内径がＤ５、前記孔奥側での内径がＤ６であり、
前記第２フェルール（１０２３）の先端の外径がＤ８であり、
Ｄ６≦Ｄ８＜Ｄ５の関係を満たし、
前記第２内壁面（２０２２ｄ）における前記第２緩斜面部（２０２２ｄ２）は、前記配管（１００）の軸芯を基準とする前記第２フェルール（１０２３）の偏芯を抑制する第２偏芯抑制部（Ａ６）である、
請求項１または請求項２記載の管継手（２０２）。
【請求項４】
配管（１００，１０１）内を冷媒が循環する冷媒循環経路（１０）と、
前記冷媒循環経路（１０）中に挿設されてなる第１熱交換器（１１０，１２０，１３０）と、
前記冷媒循環経路（１０）中に挿設されてなる第２熱交換器（１４０）と、
前記配管（１００．１０１）の接続に供される管継手と、
を備え、
前記管継手として、請求項１から請求項３の何れかの管継手（１０２，２０２，４０２）が用いられている
ことを特徴とする空気調和システム（１）。
【発明の詳細な説明】
【技術分野】
【０００１】
本発明は、管継手及び空気調和システムに関する。
【背景技術】
【０００２】
従来から、空気調和システムにおける冷媒循環経路の配管接続には、管継手が用いられている。管継手の一種として、所謂、食い込み式の管継手がある（例えば、特許文献１，２）。
【０００３】
食い込み式の管継手は、構成要素として、継手本体と、ナットと、フェルールと、を備える。食い込み式の管継手を用いる場合には、配管が挿入される継手本体に対してナットを締め込むことにより、継手本体とナットとの間に挿入されたフェルールの先端部を変形させ、配管に食い込ませ、配管の接続がなされる。
【０００４】
このように食い込み式の管継手を用いれば、施工の現場において、溶接機やバーナーなどを用いなくても配管接続が可能となる。
【先行技術文献】
【特許文献】
【０００５】
【特許文献１】特開２００６−２０７７９５号公報
【特許文献２】特表２００９−５１２８２８号公報
【発明の概要】
【発明が解決しようとする課題】
【０００６】
しかしながら、従来の食い込み式の管継手を用い配管接続を行った場合には、配管に対するフェルールの食い込み量が局所的に不足し、配管接続部分での気密性あるいは液密性の低下が生じることがある。具体的には、フェルールは配管に対して外嵌されるのであるが、フェルールが配管の軸芯方向に摺動できるように、互いの間には隙間がある。
【０００７】
そして、配管接続に際して、フェルールが配管に対して偏芯した状態でナットが締め込まれ、配管に対してフェルールが偏芯した状態のまま、フェルールの先端部の一部が配管に食い込むことがある。このような場合に、配管に対するフェルールの食い込み量が局所的に不足する事態が生じ得る。これにより、食い込み量が局所的に不足した箇所で気密性・液密性の低下が生じるおそれがある。
【０００８】
本発明は、上記のような問題の解決を図ろうとなされたものであって、配管に対するフェルールの局所的な食い込み量不足の発生を抑制することができる管継手及び空気調和システムを提供することを目的とする。
【課題を解決するための手段】
【０００９】
本発明の一態様に係る管継手（１０２，２０２，４０２）は、継手本体（１０２０）と、フェルール（１０２２，２０２２，４０２２）と、を備える。
【００１０】
前記継手本体（１０２０）は、管状の挿入受入部（１０２０ｂ）を有し、当該挿入受入部（１０２０ｂ）が備える孔部（１０２０ｅ）に配管（１００）の挿入を受け入れる。
【００１１】
前記フェルール（１０２２，２０２２，４０２２）は、前記配管（１００）の外周に対して遊嵌され、前記配管（１００）の挿入方向において前記挿入受入部（１０２０ｂ）と対向する先端部（１０２２ａ，２０２２ａ，４０２２ａ）を有し、前記先端部（１０２２ａ，２０２２ａ，４０２２ａ）の少なくとも一部が前記孔部（１０２０ｅ）に対して挿入され、当該先端部（１０２２ａ，２０２２ａ，４０２２ａ）の挿入部分が前記継手本体（１０２０）における前記孔部（１０２０ｅ）の周囲の内壁面（１０２０ｆ）に対して押し付けられ、前記挿入部分の少なくとも一部が変形することで、前記配管（１００）に食い込む。
【００１２】
そして、本態様において、前記継手本体（１０２０）における前記内壁面（１０２０ｆ）は、前記配管（１００）の挿入方向における前記孔部（１０２０ｅ）の孔口から孔奥に向けて当該孔部（１０２０ｅ）の孔径が漸減するテーパー状である。
【００１３】
また、本態様において、前記フェルール（１０２２，２０２２，４０２２）の前記先端部（１０２２ａ，２０２２ａ，４０２２ａ）は、前記配管（１００）の挿入方向における上流側から下流側に向けて外径が漸減するテーパー状であり、当該フェルール（１０２２，２０２２，４０２２）の前記先端部（１０２２ａ，２０２２ａ，４０２２ａ）におけるテーパー角がθ４である。
【００１４】
また、本態様において、前記内壁面（１０２０ｆ）は、前記孔部（１０２０ｅ）の孔口から孔奥に向けて、前記挿入受入部（１０２０ｂ）の軸芯を基準とするテーパー角がθ１である第１急斜面部（１０２０ｆ１）と、前記挿入受入部（１０２０ｂ）の軸芯を基準とするテーパー角がθ２である緩斜面部（１０２０ｆ２）と、前記挿入受入部（１０２０ｂ）の軸芯を基準とするテーパー角がθ３である第２急斜面部（１０２０ｆ３）と、を順に有し、０≦（θ２−θ４）＜（θ３−θ４）の関係と、０≦（θ２−θ４）＜（θ１−θ４）の関係と、を満たす。
【００１５】
また、本態様において、前記緩斜面部（１０２０ｆ２）における前記孔口側での内径がＤ１、前記孔奥側での内径がＤ２であり、前記フェルール（１０２２，２０２２，４０２２）の先端の外径がＤ４であり、Ｄ２≦Ｄ４＜Ｄ１の関係を満たす。
【００１６】
ここで、本態様に係る管継手（１０２，２０２，４０２）においては、前記内壁面（１０２０ｆ）における前記緩斜面部（１０２０ｆ２）は、前記配管（１００）の軸芯を基準とする前記フェルール（１０２２，２０２２，４０２２）の偏芯を抑制する偏芯抑制部（Ａ２）である。
【００１７】
この態様に係る管継手（１０２，２０２，４０２）では、仮にフェルール（１０２２，２０２２，４０２２）が偏芯した状態で装着された場合であっても、当該フェルール（１０２２，２０２２，４０２２）の先端部（１０２２ａ，２０２２ａ，４０２２ａ）が緩斜面部（１０２０ｆ２）に接触することにより、軸芯に対して交差する向きの力がかかり、偏芯が抑制される。
【００１８】
なお、このとき、緩斜面部（１０２０ｆ２）のテーパー角θ２が第１急斜面部（１０２２ｆ１）のテーパー角θ１及び第２急斜面部（１０２０ｆ３）のテーパー角θ３に対して、上記関係を満たすので、フェルール（１０２２，２０２２，４０２２）の先端部（１０２２ａ，２０２２ａ，４０２２ａ）の変形は抑えられることになる。
【００１９】
これは、緩斜面部（１０２０ｆ２）のテーパー角θ２をθ４以上であって且つθ１よりも小さくすることで、フェルール（１０２２，２０２２，４０２２）の先端部（１０２２ａ，２０２２ａ，４０２２ａ）が緩斜面部（１０２０ｆ２）に当接した際に、該緩斜面部（１０２０ｆ２）に直交する向きの反力が小さく抑えられるためである。よって、フェルール（１０２２，２０２２，４０２２）が緩斜面部（１０２０ｆ２）に当接した場合には、該緩斜面部（１０２０ｆ２）に沿ってフェルール（１０２２，２０２２，４０２２）が移動し、これにより偏芯の抑制が良好になされる。
【００２０】
また、本態様に係る管継手（１０２，２０２，４０２）では、緩斜面部（１０２０ｆ２）のテーパー角θ２よりも大きいテーパー角θ１の第１急斜面部（１０２０ｆ１）を孔口側に設けることにより、継手本体（１０２０）における孔部（１０２０ｅ）の挿入口を大きくとりながら、挿入受入部（１０２０ｂ）の全長（軸芯に沿った方向の長さ）を短くすることができる。よって、本態様に係る管継手（１０２，２０２，４０２）では、コンパクト化を図りながら、これを用いた施工において、優れた作業性を実現することができる。
【００２１】
また、本態様に係る管継手（１０２，２０２，４０２）では、上記のように、Ｄ２≦Ｄ４＜Ｄ１の関係を満たすことにより、フェルール（１０２２，２０２２，４０２２）の先端部（１０２２ａ，２０２２ａ，４０２２ａ）を緩斜面部（１０２０ｆ２）に接触させることができる。これにより、上述のように、フェルール（１０２２，２０２２，４０２２）には軸芯に対して交差する向きの力がかかり、偏芯が抑制される。
【００２２】
また、本態様に係る管継手（１０２，２０２，４０２）では、緩斜面部（１０２０ｆ２）よりもテーパー角θ３が大きい第２急斜面部（１０２０ｆ３）に対してフェルール（１０２２，２０２２，４０２２）が当接することにより、当該フェルール（１０２２，２０２２，４０２２）の先端部（１０２２ａ，２０２２ａ，４０２２ａ）が配管（１００）の方に向けて変形される。即ち、第２急斜面部（１０２０ｆ３）は、フェルール（１０２２，２０２２，４０２２）の先端部（１０２２ａ，２０２２ａ，４０２２ａ）の変形を促進するための変形ガイド部として機能するものであって、確実にフェルール（１０２２，２０２２，４０２２）の先端部（１０２２ａ，２０２２ａ，４０２２ａ）を配管（１００）へと食い込ませることができる。
【００２３】
また、本態様に係る管継手（１０２，２０２，４０２）では、緩斜面部（１０２０ｆ２）よりも孔奥側に第２急斜面部（１０２０ｆ３）を設けることにより、ナットの締め込み量を最小限に抑制しながら、確実に配管（１００）に対してフェルール（１０２２，２０２２，４０２２）の先端部（１０２２ａ，２０２２ａ，４０２２ａ）を食い込ませることが可能となる。
【００２４】
従って、本態様に係る管継手（１０２，２０２，４０２）では、配管（１００）に対するフェルール（１０２２，２０２２，４０２２）の局所的な食い込み量不足の発生を抑制することができる。
【００２５】
本発明の別態様に係る管継手（１０２，２０２，４０２）は、上記構成で、前記挿入受入部（１０２０ｂ）の前記軸芯を面内に含む縦断面において、前記第１急斜面部（１０２０ｆ１）の斜辺の長さがＬ１であり、前記緩斜面部（１０２０ｆ２）の斜辺の長さがＬ２であり、前記第２急斜面部（１０２０ｆ３）の斜辺の長さがＬ３であり、Ｌ２＜Ｌ１の関係と、Ｌ２＜Ｌ３の関係と、を満たす。
【００２６】
本態様に係る管継手（１０２，２０２，４０２）では、緩斜面部（１０２０ｆ２）の斜辺の長さＬ２を、上記のＬ２＜Ｌ１の関係及びＬ２＜Ｌ３の関係を満たすようにしているので、配管（１００）の接続に要するフェルール（１０２２，２０２２，４０２２）の移動量、即ち、ナットの締め込み量の増加を極力少なく抑えることができる。よって、本態様に係る管継手（１０２，２０２，４０２）では、これを用いた施工での優れた作業性を実現するのに寄与することができる。
【００２７】
本発明の別態様に係る管継手（２０２）は、上記構成に加え、第２フェルール（１０２３）を更に備える。
【００２８】
前記第２フェルール（１０２３）は、前記配管（１００）の外周に対して遊嵌され、前記配管（１００）の挿入方向において、前記継手本体（１０２０）の前記挿入受入部（１０２０ｂ）に対して前記フェルール（２０２２）を挟んだ反対側に配される。
【００２９】
前記フェルール（２０２２）は、前記配管（１００）の挿入方向において前記第２フェルール（１０２３）と対向する後端部に、管状の第２挿入受入部（２０２２ｂ）を有し、当該第２挿入受入部（２０２２ｂ）に第２孔部（２０２２ｇ）を備える。
【００３０】
前記第２フェルール（１０２３）は、前記配管（１００）の挿入方向において前記第２挿入受入部（２０２２ｂ）と対向する第２先端部（１０２３ａ）を有し、前記第２先端部（１０２３ａ）の少なくとも一部が前記第２孔部（２０２２ｇ）に対して挿入され、当該第２先端部（１０２３ａ）の挿入部分が前記フェルール（２０２２）における前記第２孔部（２０２２ｇ）の周囲の第２内壁面（２０２２ｄ）に対して押し付けられ、前記第２先端部（１０２３ａ）における挿入部分の少なくとも一部が変形することで、前記配管（１００）に食い込む。
【００３１】
そして、本態様において、前記フェルール（２０２２）における前記第２内壁面（２０２２ｄ）は、前記配管（１００）の挿入方向における前記第２孔部（２０２２ｇ）の孔口から孔奥に向けて当該第２孔部（２０２２ｇ）の孔径が漸減するテーパー状である。
【００３２】
また、本態様において、前記第２フェルール（１０２３）の前記第２先端部（１０２３ａ）は、前記配管（１００）の挿入方向における上流側から下流側に向けて外径が漸減するテーパー状であり、当該第２フェルール（１０２３）の前記第２先端部（１０２３ａ）におけるテーパー角がθ８である。
【００３３】
また、本態様において、前記第２内壁面（２０２２ｄ）は、前記第２孔部（２０２２ｇ）の孔口から孔奥に向けて、前記第２挿入受入部（２０２２ｂ）の軸芯を基準とするテーパー角がθ５である第３急斜面部（２０２２ｄ１）と、前記第２挿入受入部（２０２２ｂ）の軸芯を基準とするテーパー角がθ６である第２緩斜面部（２０２２ｄ２）と、前記第２挿入受入部（２０２２ｂ）の軸芯を基準とするテーパー角がθ７である第４急斜面部（２０２２ｄ３）と、を順に有し、０≦（θ６−θ８）＜（θ７−θ８）の関係と、０≦（θ６−θ８）＜（θ５−θ８）の関係と、を満たす。
【００３４】
また、本態様において、前記第２緩斜面部（２０２２ｄ２）における前記孔口側での内径がＤ５、前記孔奥側での内径がＤ６であり、前記第２フェルール（１０２３）の先端の外径がＤ８であり、Ｄ６≦Ｄ８＜Ｄ５の関係を満たす。
【００３５】
ここで、本態様に係る管継手（２０２）においては、前記第２内壁面（２０２２ｄ）における前記第２緩斜面部（２０２２ｄ２）は、前記配管（１００）の軸芯を基準とする前記第２フェルール（１０２３）の偏芯を抑制する第２偏芯抑制部（Ａ６）である。
【００３６】
本態様に係る管継手（２０２）は、所謂、ダブルフェルール方式の管継手である。即ち、この態様に係る管継手（２０２）では、フロント側のフェルール（２０２２）だけでなく、バック側の第２フェルール（１０２３）についても配管（１００）に食い込むので、気密性あるいは液密性を確保できるとともに、配管（１００）の保持力の向上を図ることができる。
【００３７】
また、本態様に係る管継手（２０２）では、第２フェルール（１０２３）の偏芯を抑制するための第２偏芯抑制部（Ａ６）が設けられている。このため、フロント側のフェルール（２０２２）だけでなく、バック側の第２フェルール（１０２３）の偏芯も確実に抑制され、両フェルール（２０２２，１０２３）の局所的な食い込み量不足の発生を抑制することができる。
【００３８】
また、第２フェルール（１０２３）の偏芯が補正されることにより、第２フェルール（１０２３）により後端部（２０２２ｂ）を押圧されるフェルール（２０２２）についても偏った力がかからず、均一な食い込みを実現する上で好適である。
【００３９】
具体的には、本態様に係る管継手（２０２）では、仮に第２フェルール（１０２３）が偏芯した状態で装着された場合であっても、フロント側のフェルール（２０２２）の第２孔部（２０２２ｇ）の奥側（下流側）に向けて挿入して行くことで、第２フェルール（１０２３）の先端部（１０２３ａ）が第２緩斜面部（２０２２ｄ２）に当接することにより、偏芯が抑制される。
【００４０】
本発明の一態様に係る空気調和システム（１）は、冷媒循環経路（１０）と、第１熱交換器（１１０，１２０，１３０）と、第２熱交換器（１４０）と、管継手と、を備える。
【００４１】
前記冷媒循環経路（１０）は、配管（１００，１０１）内を冷媒が循環する。
【００４２】
前記第１熱交換器（１１０，１２０，１３０）は、前記冷媒循環経路（１０）中に挿設されてなる。
【００４３】
前記第２熱交換器（１４０）は、前記冷媒循環経路（１０）中に挿設されてなる。
【００４４】
前記管継手は、前記配管（１００．１０１）の接続に供され、上記の何れかの態様に係る管継手（１０２，２０２，４０２）が用いられている。
【００４５】
本態様に係る空気調和システム（１）では、配管（１００，１０１）の接続に、上記の何れかの態様に係る管継手（１０２，２０２，４０２）が採用されているので、上記の各態様の説明で述べた効果をそのまま得ることができる。
【発明の効果】
【００４６】
上記の各態様では、配管に対するフェルールの局所的な食い込み量不足の発生を抑制することができる。
【図面の簡単な説明】
【００４７】
【図１】本発明の第１実施形態に係る空気調和システム１の構成を示す模式図である。
【図２】管継手１０２の一部構成を示す模式断面図である。
【図３】（ａ）は、継手本体１０２０の一部構成を示す模式断面図であり、（ｂ）は、フロントフェルール１０２２の一部構成を示す模式断面図である。
【図４】（ａ）〜（ｃ）は、継手本体１０２０の孔部１０２０ｅ内に、フロントフェルール１０２２を侵入させてゆく過程を順に示す模式断面図である。
【図５】（ａ）、（ｂ）は、フロントフェルール１０２２の先端部１０２２ａが配管１００に食い込んでゆく過程を順に示す模式断面図である。
【図６】（ａ）は、フロントフェルール１０２２が急斜面ＦＨに衝突した場合の力Ｆの掛り方を説明するための模式図であり、（ｂ）は、フロントフェルール１０２２が緩斜面ＦＬに衝突した場合の力Ｆのかかり方を説明するための模式図である。
【図７】本発明の第２実施形態に係る管継手２０２の一部構成を示す模式断面図である。
【図８】（ａ）は、フロントフェルール２０２２の一部構成を示す模式断面図であり、（ｂ）は、バックフェルール１０２３の構成を示す模式断面図である。
【図９】本発明の第３実施形態に係る管継手の構成の内、継手本体３０２０の一部構成を示す模式断面図である。
【図１０】本発明の第４実施形態に係る管継手４０２の一部構成を示す模式断面図である。
【発明を実施するための形態】
【００４８】
以下では、本発明の実施形態について、図面を参酌しながら説明する。なお、以下で説明の形態は、本発明の一態様であって、本発明は、その本質的な構成を除き何ら以下の形態に限定を受けるものではない。
【００４９】
［第１実施形態］
１．空気調和システム１の構成
本発明の第１実施形態に係る空気調和システム１の概略構成について、図１を用い説明する。図１では、空気調和システム１の構成の一部を抽出して模式的に図示している。
【００５０】
図１に示すように、本実施形態に係る空気調和システム１は、冷媒循環経路１０と、３台の室内機１１〜１３と、１台の室外機１４と、を備える。冷媒循環経路１０は、冷媒が循環する経路であって、二点鎖線で囲んだ部分に示すように、複数の配管１００，１０１が食い込み式の管継手１０２によって接続され構成されている。
【００５１】
３台の室内機１１〜１３のそれぞれは、第１熱交換器１１０，１２０，１３０と、室内ファン１１１，１２１，１３１と、を備える。空気調和システム１において、各第１熱交換器１１０，１２０，１３０は、冷房時には蒸発器として機能し、暖房時には凝縮器として機能する。
【００５２】
室外機１４は、第２熱交換器１４０と、室外ファン１４１と、圧縮機１４２と、切換弁１４３と、膨張弁１４４と、を備える。第２熱交換器１４０は、冷房時には凝縮器として機能し、暖房時には蒸発器として機能する。
【００５３】
切替弁１４３は、所謂、四方切替弁であり、冷房時と暖房時とで冷媒の流れを逆転させる弁である。
【００５４】
膨張弁１４４は、冷房時において、第２熱交換器１４０で凝縮された液相の冷媒の一部を膨張させ、温度を低下させて、室内機１１〜１３の第１熱交換器１１０，１２０，１３０に送出する。
【００５５】
２．管継手１０２の構成
管継手１０２の構成について、図２を用い説明する。図２は、管継手１０２の一部構成を示す模式断面図である。
【００５６】
図２に示すように、管継手１０２は、継手本体１０２０と、ナット１０２１と、フロントフェルール（フェルール）１０２２と、バックフェルール（第２フェルール）１０２３と、を備える。なお、図２では、管継手１０２の一部構成だけを示しているため、ナット１０２１、フロントフェルール１０２２、バックフェルール１０２３について、各１つずつ図示しているが、配管１０１の接続側にも存在する。このため、管継手１０２には、ナット１０２１、フロントフェルール１０２２、バックフェルール１０２３を、各２つずつ備えている。
【００５７】
継手本体１０２０は、全体として管形状をしており、Ｘ軸方向の中央部分に掴み部１０２０ａ、その両側に挿入受入部１０２０ｂを有する。継手本体１０２０は、例えば、黄銅などの金属材料から構成され、掴み部１０２０ａおよび挿入受入部１０２０ｂが一体に形成されている。
【００５８】
継手本体１０２０において、掴み部１０２０ａは、両脇の挿入受入部１０２０ｂに対して外径が大きくなっており、ナット１０２１を螺合させる際に、継手本体１０２０が回転しないようにスパナなどを係合させる部分である。
【００５９】
一方、継手本体１０２０における挿入受入部１０２０ｂは、その孔部１０２０ｅに配管１００の挿入を受け入れ、外周面１０２０ｃにナット１０２１との螺合のための雄ネジ部１０２０ｄが設けられている。挿入受入部１０２０ｂにおける孔部１０２０ｅの周囲の内周面１０２０ｆは、＋Ｘ側から−Ｘ側に向けて内径が漸減するテーパー状となっている。孔部１０２０ｅの内径は、−Ｘ側の端において、配管１００が内部に挿入可能な隙間分だけ、配管１００の外径よりも大きい。
【００６０】
なお、図２などでは、分かり易くするために、各部材間の隙間を誇張して図示している。
【００６１】
次に、ナット１０２１は、例えば、黄銅などの金属材料から構成されており、筒型形状をなす筒状部１０２１ａと、＋Ｘ側の端部に設けられた後端部１０２１ｂと、が一体に形成されている。筒状部１０２１ａの内周面には、継手本体１０２０との螺合のための雌ネジ部１０２１ｄが設けられている。
【００６２】
フロントフェルール１０２２は、黄銅などの金属材料から構成された、リング状の部材である。フロントフェルール１０２２は、継手本体１０２０とナット１０２１と配管１００とで囲まれた内空間１０２１ｃに収納され、先端部１０２２ａが−Ｘ側、後端部１０２２ｂが＋Ｘ側となるように配置されている。
【００６３】
フロントフェルール１０２２は、その外周面が、後端部１０２２ｂから先端部１０２２ａに向けて外径が漸減するテーパー状となっている（外周テーパー面１０２２ｃ）。また、フロントフェルール１０２２の後端面は、＋Ｘ側から−Ｘ側に向けて内径が漸減するように、テーパー状となっている（後端テーパー面１０２２ｄ）。
【００６４】
なお、フロントフェルール１０２２の内周面は、Ｘ方向において、内径が一様な円筒形状となっている。
【００６５】
バックフェルール１０２３は、黄銅などの金属材料から構成された、リング状の部材である。バックフェルール１０２３は、継手本体１０２０とナット１０２１と配管１００とで囲まれた内空間１０２１ｃであって、フロントフェルール１０２２とナット１０２１の後端内面１０２１ｅとの間に配置されている。バックフェルール１０２３についても、先端部１０２３ａが−Ｘ側、後端部１０２３ｂが＋Ｘ側となるように配置されている。
【００６６】
バックフェルール１０２３も、フロントフェルール１０２２と同様に、その外周面が、後端部１０２３ｂから先端部１０２３ａに向けて外径が漸減するテーパー状となっている（外周テーパー面１０２３ｃ）。ナット１０２１の締め込みにより、バックフェルール１０２３の先端部１０２３ａはフロントフェルール１０２２の後端テーパー面１０２２ｄに当接し、後端面１０２３ｄの一部がナット１０２１の後端内面１０２１ｅに当接することになる。
【００６７】
なお、バックフェルール１０２３についても、その内周面が、Ｘ方向において、内径が一様な円筒形状となっている。
【００６８】
３．継手本体１０２０の細部構成
継手本体１０２０の細部構成について、図３（ａ）を用い説明する。図３（ａ）は、継手本体１０２０の構成の内、挿入受入部１０２０ｂの一部構成を示す模式断面図である。
【００６９】
図３（ａ）に示すように、継手本体１０２０の挿入受入部１０２０ｂは、フロントフェルール１０２２の先端部１０２２ａの挿入を受け入れる孔部１０２０ｅを有する。孔部１０２０ｅの周囲の内壁面１０２０ｆがテーパー状となっており、＋Ｘ側から−Ｘ側へとゆくに従って内径が小さくなるよう構成されている。
【００７０】
内壁面１０２０ｆは、＋Ｘ側の孔口側から順に、第１急斜面部１０２０ｆ１、緩斜面部１０２０ｆ２、第２急斜面部１０２０ｆ３で構成されており、互いに連続している。第１急斜面部１０２０ｆ１のテーパー角はθ１であり、緩斜面部１０２０ｆ２のテーパー角はθ２であり、第２急斜面部１０２０ｆ３のテーパー角はθ３である。各テーパー角θ１，θ２，θ３は、次の関係を満足する。
［数１］θ１＞θ２
［数２］θ３＞θ２
なお、各テーパー角θ１，θ２，θ３は、継手本体１０２０における挿入受入部１０２０ｂの軸芯を基準とする角度である。
【００７１】
また、第１急斜面部１０２０ｆ１の斜辺の長さはＬ１、緩斜面部１０２０ｆ２の斜辺の長さはＬ２、第２急斜面部１０２０ｆ３の斜辺の長さはＬ３である。各斜辺の長さＬ１，Ｌ２，Ｌ３は、次の関係を満足する。
［数３］Ｌ２＜Ｌ１
［数４］Ｌ２＜Ｌ３
挿入受入部１０２０ｂを機能別に見るとき、第１急斜面部１０２０ｆ１により構成される領域が挿入入口部Ａ１、緩斜面部１０２０ｆ２により構成される領域が偏芯抑制部Ａ２、第２急斜面部１０２０ｆ３により構成される領域が変形ガイド部Ａ３である。挿入入口部Ａ１については、継手本体１０２０の孔部１０２０ｅに対してフロントフェルール１０２２を挿入する際の入り口としての部分であり、偏芯抑制部Ａ２については、フロントフェルール１０２２の偏芯を抑制（矯正）するために機能する部分であり、変形ガイド部Ａ３については、フロントフェルール１０２２の先端部１０２２ａを配管１００側に向けて変形させるためのガイドとして機能する部分である。
【００７２】
なお、内壁面１０２０ｆにおける緩斜面部１０２０ｆ２は、＋Ｘ側（配管１００の挿入方向の上流側）の内径がＤ１、−Ｘ側（配管１００の挿入方向の下流側）の内径がＤ２である。これについては、フロントフェルール１０２２との関係で後述する。
【００７３】
４．フロントフェルール１０２２の構成
フロントフェルール１０２２の構成について、図３（ｂ）を用い説明する。図３（ｂ）は、フロントフェルール１０２２の構成の内、先端部１０２２ａを主に示す模式断面図である。
【００７４】
上述のように、フロントフェルール１０２２は、リング状の部材であるが、その外周は、＋Ｘ側から−Ｘ側に向けて外径が漸減する外周テーパー面１０２２ｃとなっている。
【００７５】
一方、フロントフェルール１０２２の内周は、フロントフェルール１０２２の中心軸に対して略平行となっている。内径については、配管１００に対して摺動可能に遊嵌できるようにクリアランスを以って設定されている。
【００７６】
ここで、フロントフェルール１０２２の外周テーパー面１０２２ｃのテーパー角はθ４であり、θ１，θ２，θ３，θ４は、次の関係を満足する。
［数５］０≦（θ２−θ４）＜（θ３−θ４）
［数６］０≦（θ２−θ４）＜（θ１−θ４）
（数５）及び（数６）の両関係を満足することにより、フロントフェルール１０２２がＺ方向に偏芯していたとしても、−Ｘ側に向けてフロントフェルール１０２２を押し込んでゆくことによって、フロントフェルール１０２２の外周テーパー面１０２２ｃが緩斜面部１０２０ｆ２に当接して偏芯が抑制されることになる。
【００７７】
なお、θ４とθ２については、次の関係を満足することが、偏芯を抑制（矯正）するという観点から望ましい。
［数７］θ４≒θ２
即ち、継手本体１０２０における偏芯補正部Ａ２の機能を考えるとき、（数７）の関係を満足し、フロントフェルール１０２２の先端部１０２２ａにおける外周テーパー面１０２２ｃと、継手本体１０２０の緩斜面部１０２０ｆ２とが面接触するようにすることが、より望ましい。
【００７８】
フロントフェルール１０２２の先端の外径はＤ４であり、次の関係を満足する。
［数８］Ｄ２≦Ｄ４＜Ｄ１
（数８）の関係を満足することにより、仮にフロントフェルール１０２２が偏芯して装着された場合であっても、継手本体１０２０の偏芯補正部Ａ２である緩斜面部１０２０ｆ２に接触することにより、偏芯が抑制される。
【００７９】
また、配管１００に対する継手本体１０２０及びフロントフェルール１０２２の各偏芯を合計した最大値“α”を考慮するとき、次の関係を満足することが、より望ましい。
［数９］Ｄ１≧Ｄ４＋α
［数１０］Ｄ２≦Ｄ４＋α
なお、上記（数９）の関係を満足することにより、例えば、配管１００に対して継手本体１０２０が最も−Ｚ方向に偏芯し、配管１００に対してフロントフェルール１０２２が最も＋Ｚ方向に偏芯した場合にあっても、フロントフェルール１０２２の先端部１０２２ａは、継手本体１０２０における緩斜面部１０２０ｆ２に導かれることになる。
【００８０】
また、上記（数１０）の関係を満足することにより、継手本体１０２０に対するフロントフェルール１０２２の偏芯が抑制された上で、フロントフェルール１０２２の先端が継手本体１０２０の第２急斜面部１０２０ｆ３に当接されることにより、フロントフェルール１０２２の先端の塑性変形が開始する。
【００８１】
なお、図３（ｂ）の二点鎖線で囲んだ部分に示すように、外周テーパー面１０２２ｃと先端面１０２２ｅとの突合せ箇所がＲ面取り加工されている場合にあっては、外周テーパー面１０２２ｃの仮想延長線と先端面１０２２ｅの仮想延長線との交点Ｐ１を基準に外径Ｄ４を規定することができる。Ｃ面取り加工をした場合についても、同様である。
【００８２】
５．継手本体１０２０の孔部１０２０ｅへのフロントフェルール１０２２の侵入
継手本体１０２０の孔部１０２０ｅへのフロントフェルール１０２２の侵入の過程について、図４（ａ）〜（ｃ）及び図５（ａ）、（ｂ）を用い説明する。
【００８３】
先ず、図４（ａ）に示すように、本例では、配管１００の軸芯Ａｘ１００に対して、継手本体１０２０が同軸上にあり、フロントフェルール１０２２の軸芯Ａｘ１０２２がＧだけ偏芯している状態を仮定する。
【００８４】
図４（ａ）に示すように、Ｇだけ偏芯した状態のフロントフェルール１０２２を、矢印で示すように、継手本体１０２０の孔部１０２０ｅ内へと侵入させてゆく。
【００８５】
次に、図４（ｂ）に示すように、フロントフェルール１０２２の先端部１０２２ａにおける外周テーパー面１０２２ｃが継手本体１０２０の緩斜面部１０２０ｆ２に対して略面接触することにより、−Ｚ方向に向けて偏芯が抑制される。これより、フロントフェルール１０２２の軸芯Ａｘ１０２２が、配管１００の軸芯Ａｘ１００及び継手本体１０２０の軸芯に略合致する。
【００８６】
図４（ｃ）に示すように、フロントフェルール１０２２を継手本体１０２０の孔部１０２０ｅに対して−Ｘ方向に向けてさらに侵入させてゆくと、フロントフェルール１０２２の先端（外周テーパー面１０２２ｃと先端面１０２２ｅとの交点）が緩斜面部１０２０ｆ２と第２急斜面部１０２０ｆ３との境界部分（即ち、緩斜面部１０２０ｆ２の孔奥側の箇所）に達する。なお、遅くとも図４（ｃ）の段階では、フロントフェルール１０２２の偏芯は抑制（矯正）されているので、フロントフェルール１０２２の先端は、略全周にわたり略均一な状態で緩斜面部１０２０ｆ２と第２急斜面部１０２０ｆ３との境界部分（即ち、緩斜面部１０２０ｆ２の孔奥側の箇所）に達することになる。
【００８７】
続いて、図５（ａ）に示すように、継手本体１０２０の孔部１０２２ｅに対して、フロントフェルール１０２２をさらに押し込んでゆくと、フロントフェルール１０２２の先端部１０２２ａは、第２急斜面部１０２０ｆ３との衝突で−Ｚ方向に力が加えられることにより塑性変形し、配管１００の一部に食い込んでゆく。
【００８８】
そして、図５（ｂ）に示すように、フロントフェルール１０２２のさらなる侵入により、フロントフェルール１０２２の先端部１０２２ａが配管１００に所定量だけ食い込む。なお、図４（ｂ）から図４（ｃ）の段階でフロントフェルール１０２２の偏芯が抑制（矯正）されているので、配管１００に対するフロントフェルール１０２２の先端部１０２２ａの食い込み量は、全周にわたって略均一であり、局所的に深く食い込んだ部分や食い込みが浅い部分などを生じない。
【００８９】
６．斜面の角度と偏芯の補正機能
斜面の角度と偏芯の補正機能との関係について、図６（ａ）、（ｂ）を用い説明する。図６（ａ）は、フロントフェルール１０２２が急斜面ＦＨに衝突した場合の力のかかり方を示し、図６（ｂ）は、フロントフェルール１０２２が緩斜面ＦＬに当接した場合の力のかかる方を示す。
【００９０】
（１）急斜面ＦＨに衝突した場合
図６（ａ）に示すように、フロントフェルール１０２２の先端（外周テーパー面１０２２ｃと先端面１０２２ｅとの交点）が急斜面ＦＨに衝突した場合には、継手本体に対して力Ｆがかかる。力Ｆを斜面に沿った成分と直交する成分とに分けると、ＦＸ１とＦＹ１とになる。
【００９１】
図６（ａ）に示すように、ＦＸ１に対して、ＦＹ１が大きくなっており、フロントフェルール１０２２の先端部に対しては、ＦＹ１に抗する反力が作用することになる。このような反力の作用により、フロントフェルール１０２２の偏芯補正が十分になされないまま、フロントフェルール１０２２の先端部の局所的な変形が開始されることが考えられる。
【００９２】
（２）緩斜面ＦＬに衝突した場合
一方、図６（ｂ）に示すように、フロントフェルール１０２２の先端（外周テーパー面１０２２ｃと先端面１０２２ｅとの交点）が緩斜面ＦＬに当接した場合には、継手本体に対して力Ｆがかかる。力Ｆを斜面に沿った成分と直交する成分とに分けると、ＦＸ２とＦＹ２とになる。
【００９３】
図６（ｂ）に示すように、ＦＹ２は、ＦＸ２に対して非常に小さく、フロントフェルール１０２２の先端部に対し作用する反力も小さなものとなる。よって、フロントフェルール１０２２に対しては、緩斜面ＦＬに沿った滑り方向の力成分ＦＸ２が支配的に作用することになる。
【００９４】
従って、フロントフェルール１０２２が緩斜面ＦＬに当接した場合には、緩斜面ＦＬに沿った滑り方向の力成分ＦＸ２が支配的に作用し、フロントフェルール１０２２の偏芯が抑制（矯正）される。そして、偏芯が抑制されている間においては、ＦＹ２に対する反力は小さいので、局所的な変形が生じるのも抑制されることになる。
【００９５】
なお、図６（ｂ）では、説明の都合上、フロントフェルール１０２２の先端部と、緩斜面ＦＬと、のテーパー角が異なる状態で図示しているが、上記（数７）のように、略同一のテーパー角とすることができる。
【００９６】
７．効果
本実施形態に係る管継手１０２では、継手本体１０２０にフロントフェルール１０２２の偏芯を抑制する偏芯抑制部Ａ２を付与しているので、偏芯が抑制された状態でフロントフェルール１０２２を配管１００，１０１に食い込ませることができる。なお、上記では、管継手１０２と配管１００との接続部分に絞って説明したが、もう一方の配管１０１との接続についても同様の形態を採用してもよい。
【００９７】
従って、本実施形態に係る管継手１０２では、配管１００，１０１に対するフロントフェルール１０２２の局所的な食い込み量不足の発生を抑制することができる。
【００９８】
具体的に、管継手１０２においては、継手本体１０２０に対してフロントフェルール１０２２をセットした時点において、仮にフロントフェルール１０２２が偏芯した状態にあったとしても、当該フロントフェルール１０２２の先端部１０２２ａが内壁面１０２０ｆにおける緩斜面部１０２０ｆ２に当接することにより、軸芯に対して交差する向きの力がかかり、偏芯が抑制される。なお、図６（ｂ）を用い説明したように、緩斜面部１０２０ｆ２のテーパー角が緩やかであるので、フロントフェルール１０２２の先端部１０２２ａの変形は抑えられることになる。
【００９９】
また、本実施形態に係る管継手１０２では、継手本体１０２０における挿入受入部１０２０ｂにおいて、緩斜面部１０２０ｆ２よりも＋Ｘ側に、テーパー角θ１が緩斜面部１０２０ｆ２のテーパー角θ２よりも大きい第１急斜面部１０２０ｆ１を有することとした。これにより、継手本体１０２０における孔部１０２０ｅの挿入口を大きくとりながら、挿入受入部１０２０ｂの全長（Ｘ方向の長さ）を短くすることができ、管継手１０２のコンパクト化を図りながら、これを用いた施工において、優れた作業性を実現することができる。
【０１００】
また、上述のように、緩斜面部１０２０ｆ２の斜辺の長さと、第１急斜面部１０２０ｆ１の斜辺の長さとは、上記（数３）の関係を満足することとしている。即ち、管継手１０２では、緩斜面部１０２０ｆ２の斜辺Ｌ２の長さを、第１急斜面部１０２０ｆ１の斜辺の長さＬ１、及び第２急斜面部１０２０ｆ３の斜辺の長さＬ３よりも短くしているので、配管１００，１０１の接続に要するフロントフェルール１０２２の移動量、即ち、ナットの締め込み量の増加を極力少なく抑えることができ、施工時における優れた作業性の実現に寄与することができる。
【０１０１】
また、上述のように、継手本体１０２０における挿入受入部１０２０ｂは、緩斜面部１０２０ｆ２よりも−Ｘ側に、テーパー角θ３が緩斜面部１０２０ｆ２のテーパー角θ２よりも大きい第２急斜面部１０２０ｆ３を有することとしている。よって、本実施形態に係る管継手１０２では、テーパー角θ３が緩斜面部１０２０ｆ２のテーパー角θ２よりも大きい第２急斜面部１０２０ｆ３に対してフロントフェルール１０２２の先端部１０２２ａが衝突することにより、当該フロントフェルール１０２２の先端部１０２２ａが配管１００，１０１の方に向けて塑性変形され、確実にフロントフェルール１０２２の先端部１０２２ａを配管１００，１０１へと食い込ませるのに好適である。
【０１０２】
また、上述のように、緩斜面部１０２０ｆ２の斜辺の長さＬ２と、第２急斜面部１０２０ｆ３の斜辺の長さＬ３とは、上記（数４）の関係を満足することとしている。よって、配管１００，１０１の接続に要するフロントフェルール１０２２の移動量、即ち、ナットの締め込み量の増加を極力少なく抑えることができ、施工時における優れた作業性の実現に寄与することができる。
【０１０３】
また、本実施形態に係る管継手１０２においては、フロントフェルール１０２２の外周テーパー面１０２２ｃのテーパー角θ４と、継手本体１０２０における第１急斜面部１０２０ｆ１のテーパー角θ１、緩斜面部１０２０ｆ２のテーパー角θ２、及び第２急斜面部１０２０ｆ３のテーパー角θ３とが、上記（数５）及び上記（数６）の関係を満足することとしている。これより、図４（ｂ）を用い説明したように、仮にフロントフェルール１０２２が偏芯していた場合にあっても、継手本体１０２０の孔部１０２０ｅの奥側（−Ｘ側）に向けて挿入して行くことで、フロントフェルール１０２２の先端部１０２２ａが緩斜面部１０２０ｆ２に当接し、偏芯が抑制（矯正）されることになる。
【０１０４】
また、より望ましい関係として（数７）の関係を示した。この関係を満足することにより、緩斜面部１０２０ｆ２に対して、フロントフェルール１０２２の先端部１０２２ａが“面接触”することになり、偏芯を抑制することになる。ここで、（数７）において、“≒”とは、微差（例えば、０〜２°の差）である場合を含むものであることを意味する。
【０１０５】
また、管継手１０２では、継手本体１０２０における緩斜面部１０２０ｆ２の−Ｘ側の端での内径Ｄ２と、フロントフェルール１０２２の先端の外径Ｄ４とが、上記（数８）〜上記（数１０）の関係を満足することとしている。これより、フロントフェルール１０２２の偏芯が継手本体１０２０の緩斜面部１０２２ｆ２への当接（望ましくは、面接触）により抑制された上で、フロントフェルール１０２２の先端を、さらに孔部１０２０ｅの奥側へと侵入させることができる。よって、フロントフェルール１０２２は、偏芯の抑制がなされた後に、配管１００，１０１に向けて変形され、確実に配管１００，１０１に対してフロントフェルール１０２２の先端部１０２２ａを食い込ませることができ、局所的な食い込み量不足の発生を抑制するのに好適である。
【０１０６】
また、本実施形態に係る管継手１０２は、フロントフェルール１０２２とバックフェルール１０２３を備える、所謂、ダブルフェルール方式の管継手である。よって、本実施形態に係る管継手１０２では、フロントフェルール１０２２だけでなく、バックフェルール１０２３についても配管１００，１０１に食い込ませることができるので、気密性あるいは液密性を確保できるとともに、配管１００，１０１の保持力の向上を図ることができる。
【０１０７】
なお、本実施形態に係る空気調和システム１では、管継手１０２が採用されているので、管継手１０２が奏する効果をそのまま奏することができる。
【０１０８】
［第２実施形態］
本発明の第２実施形態に係る管継手２０２の構成について、図７及び図８を用い説明する。なお、図７は、管継手２０２の構成の一部を抜き出して図示しており、また、上記第１実施形態と同一の構成部材については同一符号を付している。以下において、上記第１実施形態との重複部分についての説明については省略する。
【０１０９】
１．管継手２０２の全体構成
図７に示すように、管継手２０２は、継手本体１０２０と、ナット１０２１と、フロントフェルール（フェルール）２０２２と、バックフェルール（第２フェルール）１０２３と、を備える。なお、図７においても、管継手２０２の一部構成だけを示しているため、ナット１０２１、フロントフェルール２０２２、バックフェルール１０２３について、各１つずつ図示しているが、配管１０１の接続側にも存在する。このため、管継手１０２には、ナット１０２１、フロントフェルール２０２２、バックフェルール１０２３を、各２つずつ備えている。
【０１１０】
本実施形態に係る管継手２０２の構成の内、上記第１実施形態と異なるのは、フロントフェルール２０２２である。以下では、フロントフェルール２０２２の構成を中心に説明する。
【０１１１】
本実施形態に係るフロントフェルール２０２２は、上記フロントフェルール１０２２と同様に、黄銅などの金属材料から構成された、リング状の部材である。そして、フロントフェルール２０２２は、継手本体１０２０とナット１０２１と配管１００とで囲まれた内空間１０２１ｃに収納され、先端部２０２２ａが−Ｘ方向、後端部２０２２ｂが＋Ｘ方向となるように配置されている。
【０１１２】
フロントフェルール２０２２は、その外周面が、後端部２０２２ｂから先端部２０２２ａに向けて外径が漸減するテーパー状となっている（外周テーパー面２０２２ｃ）。また、フロントフェルール２０２２の後端面は、＋Ｘ方向から−Ｘ方向に向けて内径が漸減するように、テーパー状となっている（第２内壁面２０２２ｄ）。なお、本実施形態に係るフロントフェルール２０２２では、第２内壁面２０２２ｄが３段テーパー面となっている。
【０１１３】
２．フロントフェルール２０２２及びバックフェルール１０２３との関係
図８（ａ）に示すように、フロントフェルール２０２２の後端の第２挿入受入部２０２２ｂは、バックフェルール１０２３の第２先端部１０２３ａの挿入を受け入れる第２孔部２０２２ｇを有する。第２孔部２０２２ｇの周囲の第２内壁面２０２２ｄは、テーパー状となっており、第２孔部２０２２ｇの内径は、＋Ｘ側から−Ｘ側へとゆくに従って小さくなるよう構成されている。
【０１１４】
第２内壁面２０２２ｄは、＋Ｘ側の孔口側から順に、第３急斜面部２０２２ｄ１、第２緩斜面部２０２２ｄ２、第４急斜面部２０２２ｄ３で構成されており、互いに連続している。第３急斜面部２０２２ｄ１のテーパー角はθ５であり、第２緩斜面部２０２２ｄ２のテーパー角はθ６であり、第４急斜面部２０２２ｄ３のテーパー角はθ７である。各テーパー角θ５，θ６，θ７は、次の関係を満足する。
［数１１］θ５＞θ６
［数１２］θ７＞θ６
なお、各テーパー角θ５，θ６，θ７は、フロントフェルール２０２２における第２挿入受入部２０２２ｂの軸芯を基準とする角度である。
【０１１５】
また、第３急斜面部２０２２ｄ１の斜辺の長さはＬ５、第２緩斜面部２０２２ｄ２の斜辺の長さはＬ６、第４急斜面部２０２２ｄ３の斜辺の長さはＬ７である。各斜辺の長さＬ５，Ｌ６，Ｌ７は、次の関係を満足する。
［数１３］Ｌ６＜Ｌ５
［数１４］Ｌ６＜Ｌ７
第２内壁面２０２２ｄを機能別に見るとき、第３急斜面部２０２２ｄ１により構成される領域が第２挿入入口部Ａ５、第２緩斜面部２０２２ｄ２により構成される領域が第２偏芯抑制部Ａ６、第４急斜面部２０２２ｄ３により構成される領域が第２変形ガイド部Ａ７である。第２挿入入口部Ａ５については、フロントフェルール２０２２の第２孔部２０２２ｇに対してバックフェルール１０２３が侵入する際の入り口としての部分であり、第２偏芯抑制部Ａ６については、バックフェルール１０２３の偏芯を抑制（矯正）するために機能する部分であり、第２変形ガイド部Ａ７については、バックフェルール１０２３の先端部１０２３ａを配管１００側に向けて変形させるためのガイドとして機能する部分である。
【０１１６】
なお、第２内壁面２０２２ｄにおける第２緩斜面部２０２２ｄ２は、＋Ｘ側（配管１００の挿入方向の上流側）の内径がＤ５、−Ｘ側（配管１００の挿入方向の下流側）の内径がＤ６である。
【０１１７】
次に、図８（ｂ）に示すように、バックフェルール１０２３も、フロントフェルール２０２２と同様に、リング状の部材であり、その先端部１０２３ａ側の外周は、＋Ｘ側から−Ｘ側に向けて外径が漸減する外周テーパー面１０２３ｃとなっている。
【０１１８】
一方、バックフェルール１０２３の内周は、バックフェルール１０２３の中心軸に対して略平行となっている。内径については、フロントフェルール２０２２と同様に、配管１００に対して摺動可能に遊嵌できるようにクリアランスを以って設定されている。
【０１１９】
ここで、バックフェルール１０２３の外周テーパー面１０２３ｃのテーパー角はθ８であり、θ５，θ６，θ７，θ８は、次の関係を満足する。
［数１５］０≦（θ６−θ８）＜（θ７−θ８）
［数１６］０≦（θ６−θ８）＜（θ５−θ８）
（数１５）及び（数１６）の両関係を満足することにより、バックフェルール１０２３がＺ方向に偏芯していたとしても、−Ｘ方向にバックフェルール１０２３を押し込んでゆくことによって、バックフェルール１０２３の外周テーパー面１０２３ｃがフロントフェルール２０２２の第２緩斜面部２０２２ｄ２に当接して偏芯が抑制（矯正）されることになる。
【０１２０】
なお、θ８とθ６については、次の関係を満足することが、偏芯を抑制するという観点から望ましい。
［数１７］θ８≒θ６
即ち、フロントフェルール２０２２における第２偏芯抑制部Ａ６の機能を考えるとき、（数１７）の関係を満足し、バックフェルール１０２３の第２先端部１０２３ａにおける外周テーパー面１０２３ｃと、フロントフェルール２０２２の第２緩斜面部２０２２ｄ２とが面接触するようにすることが、より望ましい。
【０１２１】
また、バックフェルール１０２３の先端の外径はＤ８であり、次の関係を満足する。
［数１８］Ｄ６≦Ｄ８＜Ｄ５
（数１１８）の関係を満足することにより、仮にバックフェルール１０２３が偏芯していた場合にあっても、フロントフェルール２０２２の第２偏芯抑制部Ａ６である第２緩斜面部２０２２ｄ２に当接することにより、偏芯が抑制される。勿論、フロントフェルール２０２２については、上記第１実施形態と同様に、継手本体１０２０の偏芯抑制部Ａ２への当接により、偏芯が抑制される。
【０１２２】
また、配管１００に対するフロントフェルール２０２２及びバックフェルール１０２３の各偏芯を合計した最大値“α”を考慮するとき、次の関係を満足することが、より望ましい。
［数１９］Ｄ５≧Ｄ８＋α
［数２０］Ｄ６≦Ｄ８＋α
図８（ｂ）の二点鎖線で囲んだ部分に示すように、外周テーパー面１０２３ｃと先端面１０２３ｅとの突合せ箇所がＲ面取り加工されている場合にあっては、外周テーパー面１０２３ｃの仮想延長線と先端面１０２３ｅの仮想延長線との交点Ｐ２を基準に外径Ｄ８を規定することができる。Ｃ面取り加工をした場合についても、同様である。
【０１２３】
３．効果
本実施形態では、継手本体１０２０にフロントフェルール２０２２の偏芯を抑制する機能を付与するとともに、フロントフェルール２０２２にバックフェルール１０２３の偏芯を抑制する機能を付与している。よって、上記第１実施形態で説明の効果をそのまま奏することができるのに加えて、次のような効果も奏することができる。
【０１２４】
本実施形態に係る管継手２０２では、上述のように、フロントフェルール２０２２にバックフェルール１０２３の偏芯を抑制するための第２偏芯抑制部Ａ６を付与している。このため、フロントフェルール２０２２だけでなく、バックフェルール２０２２の偏芯も確実に抑制（矯正）され、両フェルール２０２２，１０２３の局所的な食い込み量不足の発生を抑制することができる。
【０１２５】
また、上記（数１１）〜上記（数２０）の各関係を満足することにより、簡易な構成を以って、バックフェルール１０２３の偏芯も抑制できる。
【０１２６】
なお、上記（数１７）における“≒”については、フロントフェルール２０２２の第２緩斜面部２０２２ｄ２に対して、バックフェルール１０２３の外周テーパー面１０２３ｃが実質的に“面接触”することを意味するものであって、上記（数７）と同様に、微差（例えば、０〜２°の差）である場合を含むものであることを意味する。
【０１２７】
［第３実施形態］
本発明の第３実施形態に係る管継手の構成について、図９を用い説明する。図９は、本実施形態に係る管継手の構成の内、継手本体３０２０の一部構成を示す模式断面図である。他の構成については、上記第１実施形態あるいは上記第２実施形態と同様の構成を有する。
【０１２８】
図９に示すように、本実施形態に係る継手本体３０２０の挿入受入部３０２０ｂでは、孔部３０２０ｅの周囲の内壁面３０２０ｆが２段テーパー面になっている。この点が、上記第１実施形態及び上記第２実施形態との差異点である。
【０１２９】
具体的に、内壁面３０２０ｆは、孔口側（＋Ｘ側）から順に、緩斜面部３０２０ｆ２と、第２急斜面部３０２０ｆ３とが連続する状態で構成されている。緩斜面部３０２０ｆ２のテーパー角はθ９であり、第２急斜面部３０２０ｆ３のテーパー角はθ１０である。θ９とθ１０とは、次の関係を満足する。
［数２１］θ１０＞θ９
なお、各テーパー角θ９，θ１０は、継手本体３０２０の挿入受入部３０２０ｂの軸芯を基準とする角度である。
【０１３０】
また、継手本体３０２０における孔部３０２０ｅの開口径はＤ９であり、緩斜面部３０２０ｆ２の−Ｘ側端の内径はＤ１０である。このうち、Ｄ９については、配管１００に対する継手本体３０２０及びフロントフェルール１０２２，２０２２の偏芯を考慮した径に設定されている。Ｄ１０については、次の関係を満足するよう設定されている。
［数２２］Ｄ１０≦Ｄ４＋α
［数２３］Ｄ１０≦Ｄ４＜Ｄ９
なお、Ｄ４については、図３に示すとおりであり、αについては、上記と同様である。
【０１３１】
本実施形態に係る管継手においては、継手本体３０２０の挿入受入部３０２０ｂにおける孔口側の領域を偏芯抑制部Ａ９とし、それよりも−Ｘ側の領域を変形ガイド部Ａ１０としている。
【０１３２】
本実施形態では、継手本体３０２０における内壁面３０２０ｆを２段テーパー面として簡素化しながら、フロントフェルール１０２２，２０２２が偏芯した状態で装着された場合であっても、当該偏芯を確実に抑制（矯正）することができる。
【０１３３】
なお、継手本体３０２０の挿入受入部３０２０ｂにおける偏芯抑制部Ａ９のＸ方向の長さについては、配管１００に対する継手本体３０２０及びフロントフェルール１２０２，２０２２の偏芯の大きさを考慮して必要最小限とすればよい。
【０１３４】
［第４実施形態］
本発明の第４実施形態に係る管継手４０２の構成について、図１０を用い説明する。図１０は、管継手４０２の一部構成を示す模式断面図である。
【０１３５】
図１０に示すように、管継手４０２は、継手本体１０２０と、ナット４０２１と、フェルール４０２２と、を備える。図１０においても、管継手４０２の一部構成だけを示しているため、ナット４０２１及びフェルール４０２２について、各１つずつ図示しているが、配管１０１の接続側にも存在する。このため、管継手４０２には、ナット４０２１及びフェルール４０２２を、各２つずつ備えている。
【０１３６】
図１０に示すように、フェルール４０２２は、上記フロントフェルール１０２２などと同様に、黄銅などの金属材料から構成された、リング状の部材である。そして、フェルール４０２２は、継手本体１０２０とナット４０２１と配管１００とで囲まれた内空間４０２１ｃに収納され、先端部４０２２ａが−Ｘ方向、後端部４０２２ｂが＋Ｘ方向となるように配置されている。
【０１３７】
フェルール４０２２は、その外周面が、後端部２０２２ｂから先端部２０２２ａに向けて外径が漸減するテーパー状となっている（外周テーパー面４０２２ｃ）。また、フェルール４０２２の後端面４０２２ｄは、略垂直に形成されている。
【０１３８】
ナット４０２１は、上記第１実施形態に係るナット１０２１と同様に、例えば、黄銅などの金属材料から構成されており、筒型形状をなす筒状部４０２１ａと、＋Ｘ方向の端部に設けられた後端部４０２１ｂと、が一体に形成されている。筒状部４０２１ａの内周面には、継手本体１０２０との螺合のための雌ネジ部４０２１ｄが設けられている。本実施形態に係るナット４０２１は、上記第１実施形態に係るナット１０２１に比べて、バックフェルールを省略している分だけＸ方向長さが短くなっている。
【０１３９】
なお、継手本体１０２０の挿入受入部１０２０ｂにおける内壁面１０２０ｆが３段テーパー面となっている点については、上記第１実施形態及び上記第２実施形態と同様である。
【０１４０】
本実施形態に係る管継手４０２においても、継手本体１０２０の挿入受入部１０２０ｂに３段テーパー面である内壁面１０２０ｆを構成し、フェルール４０２２の偏芯を抑制する偏芯抑制部を構成している。このため、ナット４０２１の締め込み初期の段階でフェルール４０２２が偏芯していた場合にあっても、先端部２０２２ａの変形前に偏芯が抑制（矯正）され、局所的な食い込み量の不足が生じるのを抑制することができる。
【０１４１】
従って、本実施形態では、バックフェルールを設けない構成としているにもかかわらず、配管１００，１０１の接続における十分な気密性・液密性を確保することができる。
【０１４２】
［変形例］
上記第１実施形態から上記第４実施形態では、空気調和システム１の冷媒循環経路１０における配管１００，１０１の接続に用いる管継手１０２，２０２，４０２を一例として説明したが、本発明は、これに限定を受けるものではない。例えば、ガス配管や水などの液体用配管の管継手としても適用が可能である。
【０１４３】
また、上記第１実施形態では、空気調和システム１として、３つの室内機１１〜１３を備えるシステムを一例として採用したが、本発明は、これに限定を受けるものではない。例えば、１つの室内機と１つの室外機とを備える空気調和システムを採用することも可能である。
【０１４４】
また、上記第１実施形態から上記第４実施形態では、直線状に突き合せた２つの配管１００，１０１同士の接続に供する管継手１０２，２０２，４０２を一例としたが、管継手の形態について、本発明は、これに限定を受けるものではない。例えば、互いに交差する方向に配された２つの配管を接続するために、Ｌ字状をした管継手（エルボ型管継手）に適用することも可能である。また、コネクタ型管継手に適用することも可能である。
【０１４５】
また、本発明は、３つ以上の配管を接続するための管継手に適用することも可能である。
【０１４６】
また、上記第１実施形態から上記第４実施形態では、継手本体１０２０，３０２０の挿入受入部１０２０ｂ，３０２０ｂやフロントフェルール２０２２の第２挿入受入部２０２２ｂにおいて、孔部１０２０ｅ，３０２０ｅ及び第２孔部２０２２ｇの開口断面形状を円形としたが、本発明は、これに限定を受けるものではない。例えば、開口断面形状を楕円形や長円形、あるいは多角形とすることなどもできる。
【０１４７】
また、上記第１実施形態から上記第４実施形態では、１つのテーパー面部（緩斜面部１０２０ｆ２、第２緩斜面部２０２２ｄ２、緩斜面部３０２０ｆ２）で偏芯抑制部Ａ２，Ａ９及び第２偏芯抑制部Ａ６を構成することとしたが、本発明は、これに限定を受けるものではない。例えば、連続する２つ以上の緩斜面部の組み合わせにより、偏芯補正部を構成することとしてもよい。また、偏芯抑制部を構成する緩斜面部については、必ずしも縦断面において直線状である必要はなく、縦断面において曲線状とすることもできる。
【符号の説明】
【０１４８】
１  空気調和システム
１０  冷媒循環経路
１１〜１３  室内機
１４  室外機
１００，１０１  配管
１０２，２０２，４０２  管継手
１１０，１２０，１３０  第１熱交換器
１４０  第２熱交換器
１０２０，３０２０  継手本体
１０２０ｂ，３０２０ｂ  挿入受入部
１０２０ｅ，３０２０ｅ  孔部
１０２０ｆ，３０２０ｆ  内壁面
１０２０ｆ１  第１急斜面部
１０２０ｆ２，３０２０ｆ２  緩斜面部
１０２０ｆ３，３０２０ｆ３  第２急斜面部
１０２１，４０２１  ナット
１０２２，２０２２  フロントフェルール
１０２２ａ，２０２２ａ  先端部
１０２２ｂ  後端部
１０２３  バックフェルール（第２フェルール）
１０２３ａ  第２先端部
２０２２ｂ  第２挿入受入部
２０２２ｄ  第２内壁面
２０２２ｄ１  第３急斜面部
２０２２ｄ２  第２緩斜面部
２０２２ｄ３  第４急斜面部
２０２２ｇ  第２孔部
４０２２  フェルール
４０２２ａ  先端部
４０２２ｃ  後端部
Ａ２，Ａ９  偏芯抑制部
Ａ６  第２偏芯抑制部
Ａｘ１００  配管軸芯
Ａｘ１０２２  フロントフェルール軸芯
【図１】
2018062945.tif 000003
【図２】
2018062945.tif 000004
【図３】
2018062945.tif 000005
【図４】
2018062945.tif 000006
【図５】
2018062945.tif 000007
【図６】
2018062945.tif 000008
【図７】
2018062945.tif 000009
【図８】
2018062945.tif 000010
【図９】
2018062945.tif 000011
【図１０】
2018062945.tif 000012